(57)【要約】【課題】リンパ節への働きかけ等に有効に作用し、しかも手軽にトレーニングをすることができる健康補助器具を提供すること。【解決手段】一対の健康補助部材からなる健康補助具であって、前記健康補助部材は、支持材と、前記支持材の上端に位置し使用者の脇の下と接触する接触部と、前記支持材の下端に位置し前記健康補助部材を設置面に固定するための脚部と、前記接触部と前記脚部との間に位置し、前記支持材に対して垂直に設けられたグリップ部と、を備えることを特徴とする健康補助器具。【選択図】  図１
2020014713.tif 000002
【特許請求の範囲】
【請求項１】
一対の健康補助部材からなる健康補助具であって、
前記健康補助部材は、支持材と、
前記支持材の上端に位置し使用者の脇の下と接触する接触部と、
前記支持材の下端に位置し前記健康補助部材を設置面に固定するための脚部と、
前記接触部と前記脚部との間に位置し、前記支持材に設けられたグリップ部と、を備えることを特徴とする健康補器具。
【請求項２】
前記支持材は、当該支持材の長さを変えることができる調整機構を備えていることを特徴とする請求項１に記載の健康補助器具。
【請求項３】
前記接触部は、クッション層を備えていることを特徴とする請求項１又は２に記載の健康補助器具。
【請求項４】
前記脚部は、前記健康補助部材の設置面と対向する面が前記脚部の前端部と前記脚部の後端部とを結ぶ緩やかな曲線によって形成される円弧形状を有していることを特徴とする請求項１ないし３いずれか１項に記載の健康補助器具。
【請求項５】
前記脚部は、前記支持材から取り外し可能であることを特徴とする請求項１ないし４いずれか１項に記載の健康補助器具。
【発明の詳細な説明】
【技術分野】
【０００１】
本発明は、健康補助器具に関する。詳しくは、本発明は、肩こり、腰痛、膝痛等の疾患改善、猫背等の姿勢改善に有効に作用する健康補助器具に関する。更に、詳しくは、僧帽筋、向背筋から足のつま先に至る筋肉等の数多くの筋肉のストレッチ及び筋肉づくり、更にリンパ節への働きかけ等に有効に作用する健康補助器具に関する。
【背景技術】
【０００２】
肩こり、腰痛、膝痛等の疾患を患っている者は、これらの疾患による痛みを日常的に感じながら生活している。このため、これらの疾患を患っている者は、日常的に手軽に腰痛、膝痛等の疾患を改善することができる簡易な健康補助器具が必要となる。
【０００３】
一方、近年の健康志向の高まりを背景として、筋肉のストレッチ及び筋肉づくり、更にリンパ節への働きかけ等に有効に作用し、しかも手軽にいつでもどこでもトレーニングをすることができる健康補助器具が必要となっている。
【０００４】
例えば、健康補助器具として、下半身から上半身にかけて広範囲にストレッ チをする際、転倒をなくし、無理なくストレッチが出来るストレッチ健康器具が提案されている（例えば、特許文献１）。このストレッチ健康器具は、足を載せる足置き台と、足置き台に略垂直に立てられた杖部からなり、この杖部を手に持ちながら、下半身から上半身にかけての筋肉等をストレッチさせるようにしたことを特徴としている。
【先行技術文献】
【特許文献】
【０００５】
【特許文献１】特開平１０−２７７１０７号公報
【発明の概要】
【発明が解決しようとする課題】
【０００６】
しかしながら、上記ストレッチ健康器具は、大掛かりな装置であり、簡易な補助具となっていない。また、通常これらの装置は、一定の場所に備え付けられているため、疾患を患っている者、筋肉のトレーニングをする者自らが、健康器具が設置されている場所まで出向かなければならないという不都合がある。
【０００７】
一方、近年の健康志向の高まりを背景として、筋肉のストレッチ及び筋肉づくり、更にリンパ節への働きかけ等に有効に作用し、しかも手軽にいつでもどこでもトレーニングをすることができる健康補助器具が必要となっている。すなわち、上記特許文献等に記載の技術では、リンパ節への働きかけ等に有効に作用し、しかも手軽にいつでもどこでもトレーニングをすることができなかった。本発明の目的は、上述の課題を解決する技術を提供することにある。
【課題を解決するための手段】
【０００８】
本件発明は、このような背景技術に鑑みてなされたものである。本件発明者は、上記目的を達成するため、鋭意研究を行い、本件発明を完成するに至った。すなわち、本発明は、以下の技術的事項から構成される。
【０００９】
（１）  一対の健康補助部材からなる健康補助具であって、
前記健康補助部材は、支持材と、
前記支持材の上端に位置し使用者の脇の下と接触する接触部と、
前記支持材の下端に位置し前記健康補助部材を設置面に固定するための脚部と、
前記接触部と前記脚部との間に位置し、前記支持材に設けられたグリップ部と、を備えることを特徴とする健康補助器具。
【００１０】
（２）  前記支持材は、当該支持材の長さを変えることができる調整機構を備えていることを特徴とする（１）に記載の健康補助器具。
【００１１】
（３）  前記接触部は、クッション層を備えていることを特徴とする（１）又は（２）に記載の健康補助器具。
【００１２】
（４）  前記脚部は、前記健康補助部材の設置面と対向する面が前記脚部の前端部と前記脚部の後端部とを結ぶ緩やかな曲線によって形成される円弧形状を有していることを特徴とする（１）ないし（３）いずれか１に記載の健康補助器具。
【００１３】
（５）  前記脚部は、前記支持材から取り外し可能であることを特徴とする（１）ないし（３）いずれか１に記載の健康補助器具。
【発明の効果】
【００１４】
本発明によれば、手軽に腰痛、膝痛等の疾患を改善することができる簡易な健康補助器具が提供される。また、本発明によれば、筋肉のストレッチ及び筋肉づくり、更にリンパ節への働きかけ等に有効に作用することができる健康補助器具が提供される。
【図面の簡単な説明】
【００１５】
【図１】第１実施形態に係る健康補助器具の構成を示した斜視図である。
【図２】第１実施形態に係る健康補助器具が備えている健康補助部材の構成を示した斜視図である。
【図３】第１実施形態に係る健康補助器具が備えている健康補助部材を構成する支持材と脚部との接続部分を示した拡大図である。
【図４】第１実施形態に係る健康補助器具が備えている健康補助部材を構成する支持材とグリップ部との接続部分を示した拡大図である。
【図５】第１実施形態に係る健康補助器具の使用状態を示した模式図である。
【図６】第２実施形態に係る健康補助器具の構成を示した斜視図である。
【図７】第３実施形態に係る健康補助器具が備えている健康補助部材を構成する接触部の一例を示した拡大図である。
【図８】第４実施形態に係る健康補助器具の構成を示した斜視図である。
【発明を実施するための形態】
【００１６】
以下に、本発明の例示的な実施形態について、図面を参照して、以下に詳しく説明する。ただし、以下の実施形態に記載されている、構成、機能要素などはあくまで一例であり、本発明の技術範囲をそれらの記載のみに限定する趣旨のものではない。
【００１７】
［第１実施形態］
図１は、第１実施形態に係る健康補助器具の構成を示した斜視図である。図１に示されるように、本実施形態の健康補助器具１００は、一対の健康補助部材からなる健康補助具である。一対の健康補助部材は、健康補助部材１０１と健康補助部材１０２から構成されている。健康補助部材１０１と健康補助部材１０２とは同一構造である。一対の健康補助部材１０１と健康補助部材１０２とは組み合わせて使用され、同時に使用され、本実施形態の健康補助器具１００を構成する。すなわち、本実施形態の健康補助器具１００は、２つの健康補助部材を必須構成要素とする。
【００１８】
図２は、第１実施形態に係る健康補助器具を構成する健康補助部材２０１の構成を示した斜視図である。図２に示されるように、健康補助部材２０１は、支持材２０２と、支持材２０２の上端に位置し使用者の脇の下と接触する接触部２０３を備えている。さらに、健康補助部材２０１は、支持材２０２の下端に位置しており、健康補助部材２０１を設置面２０４に固定するための脚部２０５を備えている。
【００１９】
接触部２０３は、支持材２０２に対して垂直に位置している。接触部２０３と支持材２０２とは、欧文字T文字の形状を形成している。脚部２０５は、支持材２０２に対して垂直に位置している。脚部２０５と支持材２０２とは、逆さの欧文字T文字の形状を形成している。すなわち、健康補助部材２０１は、支持材２０２と接触部２０３と脚部２０５によって、全体として、欧文字Ｉ文字形状を形成している。本実施形態の健康補助器具を構成する健康補助部材２０１は、支持材２０２と接触部２０３と脚部２０５によって形成される欧文字Ｉ文字形状を基本構造とする。
【００２０】
さらに、本実施形態の健康補助器具を構成する健康補助部材２０１は、接触部２０３と脚部２０５との間に位置しており、支持材２０２に設けられたグリップ部２０６を備える。グリップ部２０６は、設置面２０４に平行に位置しており、支持材２０２に対して垂直に取り付けられている。グリップ部２０６は、健康補助部材２０１が有している欧文字Ｉ文字形状の表面２０７側に取り付けられる。グリップ部２０６の形状は、使用者が手で握る部分であるから、握りやすい形状とすることが好ましい。例えば、グリップ部２０６の形状を円柱とし、使用者の指が嵌り易くなるために各指に対応した凹形を設けてもよい。
【００２１】
健康補助部材２０１を構成する材料は、使用者の重量に耐えることができ、長年の使用に対して耐久性を有する材料であれば、特に制限されない。例えば、健康補助部材２０１を構成する材料としては、木材、金属、プラスチック、セラミック等を例示することができる。特に、健康補助部材２０１を構成する材料としては、その機械的特性、耐久性及び加工性の観点から、アルミニウム、ステンレス、スチール、強化プラスチック（ＦＲＰ）が好ましい。
【００２２】
また、健康補助部材２０１を構成する材料は、すべて同一の材料を採用してもよいし、上記の材料を組み合わせて使用してもよい。たとえば、健康補助部材２０１を構成する支持材２０２としてスチール材料を採用し、接触部２０３として木材を採用してもよい。グリップ部２０６は、使用者が手で握る部分であるから、上記材料で構成されるグリップ部２０５の外周を布、綿、ゴム、スポンジ等で被覆してもよい。
【００２３】
健康補助部材２０１を構成する材料の色彩は、特に限定されるものではなく、使用者の嗜好に合わせて適宜決定すればよい。健康補助部材２０１を構成する材料の色彩は、材料が本来有する原色であってもよいし、意匠性の観点から着色されていてもよいし、模様が付されていてもよい。
【００２４】
図３は、第１実施形態に係る健康補助器具が備えている健康補助部材３０１を構成する支持材３０２と接触部３０３との接続部分を示した拡大図である。健康補助部材３０１を構成する支持材３０２と接触部３０３等の各部は一体成形されてもよいし、接触部３０３等の各部をそれぞれ形成した後に各部を接続してもよい。図３に示されるように、木材で構成された支持材３０２と接触部３０３は、それぞれ独立に製造されている。接触部３０３は、支持材３０２に嵌合されている。接触部３０３が支持材３０２に嵌合されて一体となって欧文字Ｔ文字形状の接続部分が形成される。欧文字Ｔ文字形状の接続部分は、当該接続部分よりも若干小さいＴ文字形状の金属片３１３によって補強されている。Ｔ文字形状の接続部分と金属片３３１は、複数のネジ３３２によって固定されている。同様に、健康補助部材３０１を構成する支持材３０２と脚部３０５とは一体成形されてもよいし、脚部３０５をそれぞれ形成した後に接続してもよい。
【００２５】
図４は、第１実施形態に係る健康補助器具が備えている健康補助部材を構成する支持材４０２とグリップ部４０６との接続部分を示した拡大図である。図４に示されるように、グリップ部４０６は、その先端に雄ネジ４２１を備えている。雄ネジ４２１は、支持材４０２に設けられた雌ネジと螺合する。その結果、グリップ部４０６は、支持材４０２と強固に接続される。このようにして、本実施形態の健康補助器具を構成する健康補助部材が形成される。
【００２６】
図５は、第１実施形態に係る健康補助器具の使用状態を示した模式図である。図５に示されるように、本実施形態の健康補助器具５００は、一対の健康補助部材５０１及び健康補助部材５０２からなる健康補助具である。健康補助器具５００の使用者５０３は、一対の健康補助部材５０１と健康補助部材５０２がそれぞれ使用者の右脇５３１、左脇５３２にあてがう。健康補助部材５０１の接触部５１１の表面５１２が使用者の右脇５３１と接触する。同様に、健康補助部材５０２の接触部５２１の表面５２２が使用者の左脇５３２と接触する。次に、健康補助器具５００の使用者５０３は、健康補助部材５０１が備えているグリップ部５１３、健康補助部材５０２が備えているグリップ部５２３を握る。
【００２７】
さらに、健康補助器具５００の使用者５０３は、右脇５３１を接触部５１１の表面５１２にあてがい、かつ、左脇５３２を接触部５２１の表面５２２にあてがった状態を維持する。かかる状態を維持しながら、健康補助器具５００の使用者５０３は、グリップ５１３、グリップ５２３を握り、使用者５０３の体重による負荷を接触部５１１、接触部５２１、グリップ部５１３、グリップ部５２３に分散させる。健康補助器具５００を構成する健康補助部材５０１、健康補助部材５０２は、使用者５０３の身長より短く設計されている。使用者５０３は、健康保持部材５０１、健康補助部材５０２を右脇５３１、左脇５３２にあてがうことによって、使用者５０３の体重による負荷を接触部５１１、接触部５２１及びグリップ部５１３、グリップ部５２３に適宜分散させることができる。さらに、使用者５０３は、両足５３１、５３２を曲げることによって、使用者５０３の体重による負荷を接触部及びグリップ部により適宜分散させることができる。同時に、使用者５０３の背筋、腰は真っ直ぐに矯正される。使用者５０３の背中が猫背である場合には、猫背が矯正される。使用者５０３は、使用者５０３の体重による負荷を適宜調整することができるので、苦痛等を感じることなく無理なく猫背を矯正することができる。
【００２８】
使用者５０３の体重による負荷が右脇、左脇にかかることによって、使用者５０３の背筋を重力によって伸ばすことができる。本実施形態の健康補助器具５００によって、使用者５０３の背筋が伸びることに起因して腰痛、膝痛等の疾患を改善することができる。さらに、使用者５０３の体重による負荷を主として、グリップ部５１３、グリップ部５２３にかけることによって、使用者５０３の腕、腹筋等に働きかけることができる。また、使用者５０３の体重による負荷使用者５０３の体重による負荷が右脇、左脇にかかることによって、右脇５３１、左脇５３２のツボが刺激される。右脇、左脇には、リンパ節が多く存在しているため、使用者５０３の右脇５３１、左脇５３２のツボが刺激されることによって、リンパ節への働きかけがなされる。図５に示されるように、使用者５０３は、使用者５０３の片足を曲げて使用してもよいし、両足を曲げて使用してもよい。
【００２９】
このように本実施形態によれば、一組の健康補助部材からなる健康補助器具を用いることによって、手軽に腰痛、膝痛等の疾患を改善することができ、筋肉のストレッチ及び筋肉づくり、リンパ節への働きかけ等に有効に作用することができる健康補助器具が提供される。
【００３０】
［第２実施形態］  支持材長さ調整
図６は、第２実施形態に係る健康補助器具の構成を示した斜視図である。図6に示されるように、本実施形態の健康補助器具は、一対の健康補助部材からなる健康補助具であって、上記実施形態の健康補助器具とほぼ同一の構成を採用している。本実施形態の健康補助器具は、当該健康補助器具を構成する健康補助部材６０１がその支持材の長さを変えることができる調整機構を備えていることを特徴としている。図６に示されるように健康補助部材６０１は、支持材６０２と、支持材６０２の上端に位置し使用者の脇の下と接触する接触部６０３を備えている。さらに、健康補助部材６０１は、支持材６０２の下端に位置しており、健康補助部材６０１を設置面６０４に固定するための脚部６０５を備えている。
【００３１】
接触部６０３は、支持材６０２に対して垂直に位置している。接触部６０３と支持材６０２とは、欧文字T文字の形状を形成している。脚部６０５は、支持材６０２に対して垂直に位置している。脚部６０４と支持材６０２とは、逆さの欧文字T文字の形状を形成している。すなわち、健康補助部材６０１は、支持材６０２と接触部６０３と脚部６０５によって、全体として、欧文字Ｉ文字形状を形成している。本実施形態の健康補助器具を構成する健康補助部材６０１は、支持材６０２と接触部６０３と脚部６０５によって形成される欧文字Ｉ文字形状を基本構造とする。
【００３２】
さらに、本実施形態の健康補助器具を構成する健康補助部材６０１は、接触部６０３と脚部６０５との間に位置しており、支持材６０２に設けられたグリップ部６０６を備える。グリップ部６０６は、設置面６０４に平行に位置しており、支持材６０２に対して垂直に取り付けられている。グリップ部６０６は、健康補助部材６０１が有している欧文字Ｉ文字形状の表面６０７側に取り付けられる。本実施形態の健康補助部材６０１は、当該健康補助器具を構成する健康補助部材６０１がその支持材の長さを変えることができる調整機構を備えていることを特徴としている。
【００３３】
調整機構は、支持材６０１の長さを変えることができるものであれば、その形態は特に限定されない。例えば、図６に示されるように支持材６０２を外筒６２１と内筒６２２からなる２重構造することができる。支持材６０２の長さがL１の場合には支持材６０２を構成する内筒６２２は、外筒６２１の内側に収納されている。支持材６０２の長さがL２の場合には、支持材６０２を構成する内筒６２２は、外筒６２１から取り出されて、外側に表出して支持材６０２の一部を構成する。外筒６２１と内筒６２２との接続は、内筒６２２の外表面に凸部を形成し、外筒６１１の内表面に凹部形成し、これらの部分の嵌合構造からなるカシメを形成してもよい。また、外筒６２１と内筒６２２との間に共通した孔６２３を設けて、孔６２３にピン６２４を挿入して固定してもよい。
【００３４】
このように本実施形態によれば、健康補助部材の支持材の長さを使用者の身長等の条件に合わせて適宜調整することができる健康補助器具を提供することができる。
【００３５】
［第３実施形態］
本実施形態の健康補助器具は、一対の健康補助部材からなる健康補助具であって、上記実施形態の健康補助器具とほぼ同一の構成を採用している。本実施形態の健康補助器具は、当該健康補助器具を構成する健康補助部材の接触部がクッション層を備えていることを特徴としている。
【００３６】
図７は、第３実施形態に係る健康補助器具が備えている一対の健康補助部材の接触部７０３を示した拡大図である。図７に示されるように、健康補助部材の接触部７０３がクッション層７３１を有している。クッション層７３１は、健康補助部材の接触部７０３の表面に取り付けられている。クッション層７３１が接触部７０３の表面に取り付けられることによって、本実施形態の健康補助器具の使用者が受ける圧力を緩和することができる。
【００３７】
クッション層７３１は、接触部７０３から取り外すことができる。クッション層７３１と接触部７０３を取り付ける形態は、安定してクッション層７３１を取り付けることができるものであれば、特に限定されない。例えば、クッション層７３１を接触部７０３にロープ等の紐で縛って取り付けてもよいし、マジックテープ（登録商標）を用いて取り付けてもよい。
【００３８】
クッション層７３１は、芯材としての繊維を充填した繊維層であってもよく、芯材としての繊 維の材質が化繊、固綿、羽毛、ウール、木綿、絹のいずれかであることが好ましい。また、クッション層７３１は、スプリングが敷設されたスプリング層であってもよい。クッション層７３１としては、取り扱い、圧力を緩衝することができる観点からウレタン、スポンジが好ましい。
【００３９】
また、クッション層７３１は、袋状の容器にクッションを詰めて形成されていてもよい。クッション層７３１が袋状の容器からなる場合には、当該容器の内部に充填材を挿入してクッション層７３１としてもよい。例えば、袋状の容器には、冷却材又は保冷剤を挿入して脇の体温の上昇を抑制してもよいし、発熱材又は保温材を挿入して脇の体温の低下を抑制してもよい。クッション層７３１は、接触部７０３から取り外し可能であるため、本実施形態の健康補助器具を使用して後に汚れた後であっても、取り換えることが可能である。このため、本実施形態の健康補助器具は、使用後であっても常に清潔に保つことができる。
【００４０】
このように本実施形態によれば、接触部にクッション層を備えており、使用者の体重の負荷による衝撃を緩衝することができる健康補助器具を提供することができる。また、本実施形態によれば、接触部を常に清潔に保つことができ、使用者の体温、使用条件に合わせて充填材を挿入することができるクッション層を備えた健康補助部材からなる健康補助器具が提供される。
【００４１】
［第４実施形態］
本実施形態の健康補助器具は、一対の健康補助部材からなる健康補助具であって、上記実施形態の健康補助器具とほぼ同一の構成を採用している。本実施形態の健康補助器具は、当該健康補助器具を構成する健康補助部材８０１の脚部８０５の設置面８０４と対対向する面が円弧形状であることを特徴としている。  
【００４２】
図８は、第４実施形態に係る健康補助器具が備えている健康補助部材８０１の脚部８０５の構成を示した拡大図である。図８に示されるように、本実施形態の健康補助器具が備えている健康補助部材８０１の脚部８０５は、設置面８０４に対して、脚部８０５の全面で接していない。すなわち、脚部８０５は、設置面８０４と接触していない前端部８５１及びその後端部８５２を有しており、前端部８５１と後端部８５２の間に形成される中間部８５３において設置面８０４と接触する。脚部８０５の形状は、逆T文字形状を基本形態としている。脚部８０５は、前端部８５１と後端部８５２が設置面８０４と接触していない形状を有しており、設置面８０４と対向する面が前端部８５１と中間部８５３と後端部８５２とを結ぶ緩やかな曲線によって形成された円弧形状を有している。
【００４３】
本実施形態の健康補助器具が備えている健康補助部材８０１の脚部８０５は、設置面８０４と対向する面が前端部８５１と中間部８５３と後端部８５２とを結ぶ緩やかな曲線によって形成された円弧形状を有している。このため、健康補助器具の使用者が自己の体重の負荷を調整することによって、健康補助部材を前後に揺らせることができる。すなわち、健康補助器具の使用者は、適宜、健康補助部材を前後に揺らせて使用することができ、上下方向の背筋、腰の引き伸ばしに加えて、前後方向の運動を確保することができる。
【００４４】
なお、本実施形態の健康補助器具が備えている健康補助部材８０１の脚部８０５は、支持部８０２に対して取り外し可能な構造としてもよい。具体的には、支持材８０２の先端部を凸部とし、脚部８０５に凹部を設けて、支持材８０２の先端部に脚部８０５の凹部を嵌合させてもよい。また。支持材８０２の先端部をネジ構造とし、脚部８０５の凹部に螺合させてもよい。
【図１】
2020014713.tif 000003
【図２】
2020014713.tif 000004
【図３】
2020014713.tif 000005
【図４】
2020014713.tif 000006
【図５】
2020014713.tif 000007
【図６】
2020014713.tif 000008
【図７】
2020014713.tif 000009
【図８】
2020014713.tif 000010
【手続補正書】
【提出日】令和1年8月19日(2019.8.19)
【手続補正１】
【補正対象書類名】特許請求の範囲
【補正対象項目名】全文
【補正方法】変更
【補正の内容】
【特許請求の範囲】
【請求項１】
一対の健康補助部材からなる健康補助具であって、
前記健康補助部材は、支持材と、
前記支持材の上端に垂直に位置し、使用者の脇の下と接触する接触部と、
前記支持材の下端に垂直に位置し、前記健康補助部材を設置面に固定するための脚部と、
前記接触部と前記脚部との間に位置し、前記支持材に設けられたグリップ部と、を備え、
前記支持材は前記接触部の長手方向の中央部と嵌合し、前記支持材と前記接触部の接続部分には、補強のため２つ以上のネジによってＴ文字形状の金属片を固定し、
前記支持材は前記脚部の長手方向の中央部と嵌合し、前記接触部と前記脚部を平行に設置することにより、
前記健康補助部材は欧文字Ｉ文字形状を形成し、前記Ｉ文字形状を形成する側に前記グリップ部を設けたことを特徴とする健康補助具。
【請求項２】
前記支持材は、当該支持材の長さを変えることができる調整機構を備えていることを特徴とする請求項1に記載の健康補助具。
【請求項３】
前記接触部は、クッション層を備えていることを特徴とする請求項1又は2に記載の健康補助具。
【請求項４】
前記脚部は、前記健康補助部材の設置面と対向する面が前記脚部の前端部と前記脚部の後端部とを結ぶ緩やかな曲線によって形成される円弧形状を有していることを特徴とする請求項１ないし３いずれか１項に記載の健康補助器具。
【請求項５】
前記脚部に設けた凹部と前記支持材の先端部は螺合構造であって、取り外し可能であることを特徴とする請求項４に記載の健康補助器具。
【手続補正２】
【補正対象書類名】明細書
【補正対象項目名】０００９
【補正方法】変更
【補正の内容】
【０００９】
（１）  一対の健康補助部材からなる健康補助具であって、
前記健康補助部材は、支持材と、
前記支持材の上端に垂直に位置し、使用者の脇の下と接触する接触部と、
前記支持材の下端に垂直に位置し、前記健康補助部材を設置面に固定するための脚部と、
前記接触部と前記脚部との間に位置し、前記支持材に設けられたグリップ部と、を備え、
前記支持材は前記接触部の長手方向の中央部と嵌合し、前記支持材と前記接触部の接続部分には、補強のため２つ以上のネジによってＴ文字形状の金属片を固定し、
前記支持材は前記脚部の長手方向の中央部と嵌合し、前記接触部と前記脚部を平行に設置することにより、
前記健康補助部材は欧文字Ｉ文字形状を形成し、前記Ｉ文字形状を形成する側に前記グリップ部を設けたことを特徴とする健康補助具。
【手続補正３】
【補正対象書類名】明細書
【補正対象項目名】００１３
【補正方法】変更
【補正の内容】
【００１３】
（５）  前記脚部に設けた凹部と前記支持材の先端部は螺合構造であって、取り外し可能であることを特徴とする（４）に記載の健康補助器具。
【手続補正４】
【補正対象書類名】明細書
【補正対象項目名】００２４
【補正方法】変更
【補正の内容】
【００２４】
図３は、第１実施形態に係る健康補助器具が備えている健康補助部材３０１を構成する支持材３０２と接触部３０３との接続部分を示した拡大図である。健康補助部材３０１を構成する支持材３０２と接触部３０３等の各部は一体成形されてもよいし、接触部３０３等の各部をそれぞれ形成した後に各部を接続してもよい。図３に示されるように、木材で構成された支持材３０２と接触部３０３は、それぞれ独立に製造されている。接触部３０３は、支持材３０２に嵌合されている。接触部３０３が支持材３０２に嵌合されて一体となって欧文字Ｔ文字形状の接続部分が形成される。欧文字Ｔ文字形状の接続部分は、当該接続部分よりも若干小さいＴ文字形状の金属片３３１によって補強されている。Ｔ文字形状の接続部分と金属片３３１は、複数のネジ３３２によって固定されている。同様に、健康補助部材３０１を構成する支持材３０２と脚部３０５とは一体成形されてもよいし、脚部３０５をそれぞれ形成した後に接続してもよい。